(57)【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、
伝送線路は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、個別通話／一斉放送切換手段とスピーカの間に設けられ一斉放送の音量が所定範囲の値となるように補正する音量補正手段と、制御線を介して伝送される制御信号に基づいて個別通話／一斉放送切換手段を制御する制御手段とを備え、
各住戸機では、制御線を介して一斉放送開始を指示する制御信号が伝送され、当該制御信号を受信したときに制御手段が個別通話／一斉放送切換手段を制御して信号線をスピーカに接続する状態に切り換えさせる集合住宅用インターホンシステムであって、
一斉放送装置は、一斉放送用音声信号を出力する前に信号線を介して各住戸機へトレーニング信号を送信するトレーニング信号送信手段を有し、トレーニング信号の送信後に一斉放送用音声信号を送信してなり、
音量補正手段は、信号線を介して受信したトレーニング信号に基づいて信号線経路の伝送ロスを推定する伝送ロス推定手段と、一斉放送用音声信号に対して伝送ロス推定手段で推定した伝送ロスを補償する伝送ロス補償手段と、一斉放送用音声信号から音声の周波数帯域成分のみを通過させるバンドパスフィルタと、トレーニング信号をバンドパスフィルタを通さずに伝送ロス推定手段に入力する手段とからなり、前記バンドパスフィルタは、音声の周波数帯域幅よりも狭い周波数特性に設定され、伝送ロス推定手段で推定される伝送ロスの値が所定のしきい値以下のときは、一斉放送用音声信号をフィルタリングせずに通過させるか、あるいは伝送ロスの値が大きくなるにつれて通過帯域幅を狭くすることを特徴とする集合住宅用インターホンシステム。
【請求項２】
住戸機は、音量補正手段で補正される前の一斉放送用音声信号を増幅する増幅手段と、伝送ロス推定手段で推定される伝送ロスの値に応じて増幅手段の増幅度を調整する調整手段とを備えたことを特徴とする請求項１記載の集合住宅用インターホンシステム。
【請求項３】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、
伝送線路は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、個別通話／一斉放送切換手段とスピーカの間に設けられ一斉放送の音量が所定範囲の値となるように補正する音量補正手段と、制御線を介して伝送される制御信号に基づいて個別通話／一斉放送切換手段を制御する制御手段とを備え、
各住戸機では、制御線を介して一斉放送開始を指示する制御信号が伝送され、当該制御信号を受信したときに制御手段が個別通話／一斉放送切換手段を制御して信号線をスピーカに接続する状態に切り換えさせる集合住宅用インターホンシステムであって、
一斉放送装置は、一斉放送用音声信号を出力する前に信号線を介して各住戸機へトレーニング信号を送信するトレーニング信号送信手段を有し、トレーニング信号の送信後に一斉放送用音声信号を送信してなり、
音量補正手段は、信号線を介して受信したトレーニング信号に基づいて信号線経路の伝送ロスを推定する伝送ロス推定手段と、一斉放送用音声信号に対して伝送ロス推定手段で推定した伝送ロスを補償する伝送ロス補償手段と、一斉放送用音声信号から音声の周波数帯域成分のみを通過させるバンドパスフィルタと、トレーニング信号をバンドパスフィルタを通さずに伝送ロス推定手段に入力する手段と、トレーニング信号を検出するトレーニング信号検出手段とを有し、当該トレーニング信号検出手段は、入力信号の信号パワーを推定する第１の信号パワー推定部と、入力信号からトレーニング信号の周波数帯域成分のみを通過させる帯域通過フィルタと、帯域通過フィルタを通過した入力信号の信号パワーを推定する第２の信号パワー推定部と、第１の信号パワー推定部で推定した信号パワーと第２の信号パワー推定部で推定した信号パワーとに基づいて入力信号がトレーニング信号か否かを判定する判定部とを具備し、前記トレーニング信号検出手段がトレーニング信号を検出した後に伝送ロス推定手段が伝送ロスの推定を開始することを特徴とする集合住宅用インターホンシステム。
【請求項４】
判定部は、入力信号がトレーニング信号であると判定する条件が所定時間以上継続して満たされたときに入力信号をトレーニング信号と判定することを特徴とする請求項３記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の共用部や管理人室などに設置された一斉放送装置により複数の住戸機へ音声を一斉に放送することができる集合住宅用インターホンシステムに関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備えた集合住宅用インターホンシステムが提供されている（例えば、特許文献１参照）。
【特許文献１】特開平６−１４１２５号公報
【発明の開示】
【発明が解決しようとする課題】
【０００３】
ところで、集合住宅の規模によっては一斉放送装置から各住戸機までの伝送線路の配線長が数百メートルから数キロメートルにも及ぶ場合があり、また住戸機の接続台数及び、幹線機器（共用部装置や一斉放送装置）の台数も集合住宅の規模によって異なるため、配線、住戸機、幹線機器のインピーダンスに起因した伝送線路の伝送ロスも悪化して住戸機における一斉放送の音量が低下してしまい、住戸機間に音量のばらつきが生じるという問題があった。尚、音量の低下に対しては一斉放送用音声信号を増幅することで対処可能であるが、個々の住戸機間における音量のばらつきを抑えることはできない。ここで、「伝送ロス」とは、伝送系の２地点間（上述の例では一斉放送装置と各住戸機の間）において、送信信号に対する受信信号の振幅や位相の変化及びその変化量と定義される。
【０００４】
本発明は上記事情に鑑みて為されたものであり、その目的は、複数の住戸機間における一斉放送の音量のばらつきを抑えることができる集合住宅用インターホンシステムを提供することにある。
【課題を解決するための手段】
【０００５】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、伝送線路は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、個別通話／一斉放送切換手段とスピーカの間に設けられ一斉放送の音量が所定範囲の値となるように補正する音量補正手段と、制御線を介して伝送される制御信号に基づいて個別通話／一斉放送切換手段を制御する制御手段とを備え、各住戸機では、制御線を介して一斉放送開始を指示する制御信号が伝送され、当該制御信号を受信したときに制御手段が個別通話／一斉放送切換手段を制御して信号線をスピーカに接続する状態に切り換えさせる集合住宅用インターホンシステムであって、一斉放送装置は、一斉放送用音声信号を出力する前に信号線を介して各住戸機へトレーニング信号を送信するトレーニング信号送信手段を有し、トレーニング信号の送信後に一斉放送用音声信号を送信してなり、音量補正手段は、信号線を介して受信したトレーニング信号に基づいて信号線経路の伝送ロスを推定する伝送ロス推定手段と、一斉放送用音声信号に対して伝送ロス推定手段で推定した伝送ロスを補償する伝送ロス補償手段と、一斉放送用音声信号から音声の周波数帯域成分のみを通過させるバンドパスフィルタと、トレーニング信号をバンドパスフィルタを通さずに伝送ロス推定手段に入力する手段とからなり、前記バンドパスフィルタは、音声の周波数帯域幅よりも狭い周波数特性に設定され、伝送ロス推定手段で推定される伝送ロスの値が所定のしきい値以下のときは、一斉放送用音声信号をフィルタリングせずに通過させるか、あるいは伝送ロスの値が大きくなるにつれて通過帯域幅を狭くすることを特徴とする。
【０００７】
請求項２の発明は、請求項１の発明において、住戸機は、音量補正手段で補正される前の一斉放送用音声信号を増幅する増幅手段と、伝送ロス推定手段で推定される伝送ロスの値に応じて増幅手段の増幅度を調整する調整手段とを備えたことを特徴とする。
【０００８】
請求項３の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、伝送線路は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、個別通話／一斉放送切換手段とスピーカの間に設けられ一斉放送の音量が所定範囲の値となるように補正する音量補正手段と、制御線を介して伝送される制御信号に基づいて個別通話／一斉放送切換手段を制御する制御手段とを備え、各住戸機では、制御線を介して一斉放送開始を指示する制御信号が伝送され、当該制御信号を受信したときに制御手段が個別通話／一斉放送切換手段を制御して信号線をスピーカに接続する状態に切り換えさせる集合住宅用インターホンシステムであって、一斉放送装置は、一斉放送用音声信号を出力する前に信号線を介して各住戸機へトレーニング信号を送信するトレーニング信号送信手段を有し、トレーニング信号の送信後に一斉放送用音声信号を送信してなり、音量補正手段は、信号線を介して受信したトレーニング信号に基づいて信号線経路の伝送ロスを推定する伝送ロス推定手段と、一斉放送用音声信号に対して伝送ロス推定手段で推定した伝送ロスを補償する伝送ロス補償手段と、一斉放送用音声信号から音声の周波数帯域成分のみを通過させるバンドパスフィルタと、トレーニング信号をバンドパスフィルタを通さずに伝送ロス推定手段に入力する手段と、トレーニング信号を検出するトレーニング信号検出手段とを有し、当該トレーニング信号検出手段は、入力信号の信号パワーを推定する第１の信号パワー推定部と、入力信号からトレーニング信号の周波数帯域成分のみを通過させる帯域通過フィルタと、帯域通過フィルタを通過した入力信号の信号パワーを推定する第２の信号パワー推定部と、第１の信号パワー推定部で推定した信号パワーと第２の信号パワー推定部で推定した信号パワーとに基づいて入力信号がトレーニング信号か否かを判定する判定部とを具備し、前記トレーニング信号検出手段がトレーニング信号を検出した後に伝送ロス推定手段が伝送ロスの推定を開始することを特徴とする。
【００１２】
請求項４の発明は、請求項３の発明において、判定部は、入力信号がトレーニング信号であると判定する条件が所定時間以上継続して満たされたときに入力信号をトレーニング信号と判定することを特徴とする。
【発明の効果】
【００１３】
請求項１の発明によれば、一斉放送の音量が所定範囲の値となるように補正する音量補正手段を各住戸機が備えているため、一斉放送の対象となる住戸機の台数や各住戸機までの配線長に応じて一斉放送装置で一斉放送用音声信号の増幅度を調整することなく、複数の住戸機間における一斉放送の音量のばらつきを抑えることができ、しかも、音量補正手段が一斉放送用音声信号から音声の周波数帯域成分のみを通過させるバンドパスフィルタを有しているので、音声の周波数帯域以外のノイズ成分が増幅されるのを防いでスピーカから送出されるノイズの影響を低減することができる。さらに、バンドパスフィルタによる一斉放送の音質劣化を低減することができる。
【００１５】
請求項２の発明によれば、音量補正手段で補正される前の一斉放送用音声信号を増幅する増幅手段の増幅度を、伝送ロス推定手段で推定される伝送ロスの値に応じて調整手段が調整するので、音量補正手段における補正量を減少させてノイズ成分の影響を低減することができる。
【００１６】
請求項３の発明によれば、一斉放送の音量が所定範囲の値となるように補正する音量補正手段を各住戸機が備えているため、一斉放送の対象となる住戸機の台数や各住戸機までの配線長に応じて一斉放送装置で一斉放送用音声信号の増幅度を調整することなく、複数の住戸機間における一斉放送の音量のばらつきを抑えることができ、しかも、音量補正手段が一斉放送用音声信号から音声の周波数帯域成分のみを通過させるバンドパスフィルタを有しているので、音声の周波数帯域以外のノイズ成分が増幅されるのを防いでスピーカから送出されるノイズの影響を低減することができる。また、伝送ロス推定手段が誤ってトレーニング信号以外の入力信号から伝送ロスを推定することを防いで適切な音量補正を行うことができる。さらに、入力信号に含まれるノイズ成分をトレーニング信号と誤判定することを防止できる。
【００２０】
請求項４の発明によれば、入力信号にインパルス性のノイズ成分やバーストノイズなどが含まれている場合においても、かかるノイズ成分をトレーニング信号と誤判定することを防止できる。
【発明を実施するための最良の形態】
【００２１】
以下、図面を参照して本発明の実施形態を詳細に説明する。
【００２２】
（実施形態１）
本発明の実施形態１の集合住宅用インターホンシステムの構成例を図１に示す。本実施形態では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される分岐線Ｌ２とを含み、さらに幹線Ｌ１を複数系統（図示せず）に分配するための幹線制御装置３が設けられている。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するカメラ（図示せず）で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けた映像処理部１２で周波数復調されてモニタ部１３に表示される。
【００２３】
図示は省略するが、ロビーインターホン１は音声を入出力するマイクロホン及びスピーカと、来訪者を撮像するカメラと、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して一斉放送装置（警報監視盤）５が接続されており、ロビーインターホン１で選択された住戸番号が制御線Ｌｃを介して警報監視盤５に伝送されると、警報監視盤５が当該住戸番号に対応する住戸機２に対して制御線Ｌｃを介して制御信号（呼出コマンド）を送出する。
【００２４】
一方、住戸機２は、音声を入出力するマイクロホン２１及びスピーカ２２を備え、マイクロホン２１とスピーカ２２とはそれぞれ増幅器２３ａ，２３ｂを介して通話処理部２４に接続されている。また、通話処理部２４には受話側並びに送話側の各伝送経路と２線の通話線Ｌａとを２線４線変換する２線４線変換部２５が増幅器２６ａ，２６ｂを介して接続されている。通話処理部２４は、通話線Ｌａを介して伝送されてくる音声信号（受話信号）とマイクロホン２１から出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン２１とスピーカ２２の音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【００２５】
また住戸機２には、分岐線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース部１４が設けられている。映像信号の伝送経路は映像処理部１２に接続され、通話路は通話／一斉放送切換部１５に接続されている。通話／一斉放送切換部１５は、幹線インタフェース部１４に接続された通話路を、通話路切換部１６に接続する状態と、後述する音量補正部３０に接続する状態とを択一的に切り換えるものである。また通話路切換部１６は、２線４線変換部２５に接続された通話路を、通話／一斉放送切換部１５に接続する状態と、後述する子器インタフェース部１８に接続する状態と、同一住戸内に設置された別の住戸機（図示せず）に接続する状態とを択一的に切り換えるものである。
【００２６】
通話路切換部１６に接続された子器インタフェース部１８には子器接続線Ｌ３を介してドアホン子器６が接続される。ドアホン子器６は集合住宅の各住戸の玄関先に配置されるものであってマイクロホン及びスピーカを備える。したがって、通話路切換部１６が２線４線変換部２５に接続された通話路を子器インタフェース部１８に接続する状態に切り換えられているときにドアホン子器６と住戸機２との間での通話が可能になっている。また、ドアホン子器６にはテレビカメラが設けられ、子器インタフェース部１８では子器接続線Ｌ３を介して伝送される音声信号と映像信号を分離し、分離した映像信号を伝送線路を介して映像処理部１２に出力してモニタ部１３に表示することができるようになっている。さらにドアホン子器６には呼出釦が設けられ、呼出釦が操作されたときに子器接続線Ｌ３に呼出信号を送出する機能を有し、住戸機２では呼出信号を検出したときに報知音生成部２７で生成された呼出音がスピーカ２２から送出されるようになっている。
【００２７】
住戸機２において、モニタ部１３には液晶表示器あるいはＣＲＴが用いられる。映像線Ｌｂを通して住戸機２に入力される映像信号は、幹線インタフェース部１４で平衡−不平衡変換され、さらに増幅器で増幅された後に映像処理部１２において周波数復調される。また、子器接続線Ｌ３を通して住戸機２に入力される映像信号も、子器インタフェース部１８で平衡−不平衡変換され、さらに増幅器で増幅された後に映像処理部１２において周波数復調される。そして、映像処理部１２から出力された映像信号は、モニタ部１３に入力されることによってモニタ部１３の画面に映像を表示する。つまり、ロビーインターホン１やドアホン子器６のカメラにおいて撮像された来訪者の映像が住戸機２のモニタ部１３に表示されるから、住戸内の居住者が来訪者を確認することができるのである。
【００２８】
また報知音生成部２７は、ロビーインターホン１やドアホン子器６からの呼出等を報知するための報知音を生成し、生成した報知音を増幅器２８ａを介してスピーカ２２に出力するとともに当該報知音をバックトーンとして分岐線Ｌ２又は子器接続線Ｌ３にも出力する。すなわち、報知音生成部２７には増幅器２８ｂを介してバックトーン送出路切換部１７が接続されており、このバックトーン送出路切換部１７がバックトーンの送出先を分岐線Ｌ２と子器接続線Ｌ３とに択一的に切り換えるようになっている。
【００２９】
住戸機２には、ＣＰＵを主構成要素とし内部回路を制御する主制御部１０が設けられ、主制御部１０には制御線Ｌｃとのインタフェースとなる制御信号送受信部１１が接続される。制御信号送受信部１１は、主制御部１０から出力された制御信号を制御線Ｌｃに送出し、制御線Ｌｃから受信した制御信号を主制御部１０に引き渡す機能を有する。
【００３０】
ところで、分岐線Ｌ２は分岐器７を介して幹線Ｌ１から分岐され、幹線制御装置３においては各系統の幹線Ｌ１を直結している。したがって、ロビーインターホン１から送出された制御信号は制御線Ｌｃに接続されるすべての住戸機２に伝送される。ここに、住戸機２の主制御部１０には個別にアドレス（たとえば、住戸番号）が設定されており、ロビーインターホン１においてアドレスを選択することによって、アドレスを指定する制御信号（呼出コマンド）が警報監視盤５から制御線Ｌｃを介して全ての住戸機２に伝送することが可能になっている。住戸機２の主制御部１０は、制御信号に含まれるアドレスが自己のアドレスであれば映像処理部１２やモニタ部１３を起動してロビーインターホン１のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の応答釦（図示せず）を押操作すれば、主制御部１０が通話／一斉放送切換部１５を制御して幹線インタフェース部１４に接続された通話路を通話路切換部１６に接続する状態に切り換えさせるとともに通話路切換部１６を制御して２線４線変換部２５に接続された通話路を通話／一斉放送切換部１５に接続する状態に切り換えさせてロビーインターホン１との間に通信路を確立することにより、ロビーインターホン１と選択された住戸機２との間でのみ通話可能にすることができるとともに、選択された住戸機２でのみカメラで撮像された来訪者をモニタ部１３に表示することが可能になる。尚、ロビーインターホン１において選択された住戸機２がロビーインターホン１との間で通信路を確立している状態は、ロビーインターホン１または住戸機２において適宜の操作釦を用いた通話終了が検出されると終了する。
【００３１】
また、ドアホン子器６の呼出釦が押操作されて子器接続線Ｌ３に呼出信号が送出されると、呼出信号を検出した住戸機２の主制御部１０が映像処理部１２やモニタ部１３を起動してドアホン子器６のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の応答釦（図示せず）を押操作すれば、主制御部１０が通話路切換部１６を制御して２線４線変換部２５に接続された通話路を子器インタフェース部１８に接続する状態に切り換えさせてドアホン子器６との間に通信路を確立することにより、ドアホン子器６と住戸機２との間で通話可能にすることができるとともカメラで撮像された来訪者をモニタ部１３に表示することが可能になる。
【００３２】
一方、警報監視盤５は集合住宅の管理人室などに設置され、通話線Ｌａを介して各住戸機２との間で通話並びに一斉放送を行う機能や、制御線Ｌｃを介して各住戸機２に一斉放送の開始及び終了を指示する機能などを有している。例えば、警報監視盤５から全ての住戸機２に対して一斉放送を行う場合、警報監視盤５から一斉放送の開始を指示する制御信号（一斉放送開始コマンド）が制御線Ｌｃを介して各住戸機２に送信され、この制御信号を受信した各住戸機２では、一斉放送開始コマンドに応じて主制御部１０が通話／一斉放送切換部１５を制御して幹線インタフェース部１４に接続された通話路を音量補正部３０に接続する状態に切り換えさせて警報監視盤５との間に通信路が確立され、警報監視盤５から送出される一斉放送の音声信号（以下、「一斉放送用音声信号」と呼ぶ。）が通話線Ｌａを介して各住戸機２に伝送される。そして、各住戸機２においては音量補正部３０で一斉放送用音声信号の音量が自動的に補正され、音量補正された一斉放送用音声信号がスピーカ２２から送出される。
【００３３】
警報監視盤５は、図１に示すようにＣＰＵを主構成要素とする制御部５０と、制御部５０と制御線Ｌｃとのインタフェースとなる制御信号送受信部５１と、通話用のハンドセット（送受話器）５２と、送話信号及び受話信号を増幅する増幅器５３ａ，５３ｂと、受話側並びに送話側の各伝送経路と２線の通話線Ｌａとを２線４線変換する２線４線変換部５４と、制御部５０からの指示に応じて後述するトレーニング信号を送信するトレーニング信号送信部５５と、２線４線変換部５４の送話側の伝送線路をハンドセット５２に接続する状態とトレーニング信号送信部５５に接続する状態とに択一的に切り換える音声／トレーニング信号切換部５６と、音声／トレーニング信号切換部５６を２線４線変換部５４を介して通話線Ｌａに接続する状態と２線４線変換部５４を介さずに増幅器５８を介して通話線Ｌａに接続する状態とに択一的に切り換える通話／一斉放送切換部５７と、ロビーインターホン１に接続された通話線Ｌａと幹線制御装置３に接続された通話線Ｌａとの間に挿入された開閉スイッチ部５９とを備えている。尚、図示は省略するが、警報監視盤５には住戸番号を指定するための番号キーと呼出釦を有する選択手段とが設けられ、管理人が番号キーを操作して何れかの住戸番号を選択した後に呼出釦を操作することで住戸番号に対応する住戸機２を選択すれば、選択した住戸機２との間に通信路が形成されてハンドセット５２により当該住戸機２との間でのみ通話を行うことができる。また、かかる通話時には、制御部５０によって音声／トレーニング信号切換部５６が２線４線変換部５４の送話側の伝送線路をハンドセット５２に接続する状態に切り換えられるとともに通話／一斉放送切換部５７が音声／トレーニング信号切換部５６を２線４線変換部５４を介して通話線Ｌａに接続する状態に切り換えられ、且つ開閉スイッチ部５９が開成されてロビーインターホン１が幹線Ｌ１から切り離される。
【００３４】
トレーニング信号送信部５５は、単一周波数のトーン信号からなるトレーニング信号を生成して出力するものであって、トレーニング信号は音声／トレーニング信号切換部５６から通話／一斉放送切換部５７を経て増幅器５８で増幅された後に通話線Ｌａを介して各住戸機２に伝送される。
【００３５】
音量補正部３０は、図２（ａ）に示すように通話線Ｌａを介して受信したトレーニング信号に基づいて警報監視盤５から住戸機２に至るまでの通話線Ｌａの伝送ロスを推定する伝送ロス推定手段と、一斉放送用音声信号に対して伝送ロス推定手段で推定した伝送ロスによる損失を補償する伝送ロス補償手段と、一斉放送用音声信号から音声の周波数帯域成分のみを通過させるバンドパスフィルタ４２と、トレーニング信号をバンドパスフィルタ４２を通さずに伝送ロス推定手段に入力する手段（切換スイッチ４３）とを備える。伝送ロス補償手段は一斉放送用音声信号を増幅する増幅器３９からなり、伝送ロス推定手段は、入力信号（トレーニング信号）Ｘ（ｎ)の信号パワー（瞬時パワー）を推定するパワー推定部４０と、パワー推定部４０で推定されたトレーニング信号の信号パワーＰｓに基づいて増幅器３９の増幅度Ｇを算出する増幅度算出部４１とからなる。パワー推定部４０は、図２（ｂ）に示すように入力信号Ｘ(ｎ)の絶対値の時間平均値（絶対平均値）ＰＸ(ｎ)を求める絶対平均値算出部４０１と、絶対平均値算出部４０１で算出される時系列の絶対平均値ＰＸ(ｎ)を平滑化する絶対平均値平滑部４０２とで構成される。尚、本実施形態における音量補正部３０は、通話処理部２４並びに報知音生成部２７とともにＤＳＰ（ディジタル・シグナル・プロセッサ）のハードウェアをソフトウェアで制御することによって実現されているが、これに限定されるものではなく、ＤＳＰの代わりにＣＰＵを用いたり、あるいはアナログ回路やディジタル回路で構成することも可能である。
【００３６】
絶対平均値算出部４０１は、所定のサンプリング時間でサンプリングされた入力信号Ｘ(ｎ)を周波数弁別するバンドパスフィルタ４０１ａと、周波数弁別後の入力信号Ｘ(ｎ)の絶対値を求める絶対値算出部４０１ｂと、入力信号Ｘ(ｎ)の絶対値を所定の時間フレーム（サンプリング数Ｍ）で除する除算部４０１ｃと、サンプリング数Ｍで除算された入力信号Ｘ(ｎ)の絶対値の総和を求める総和算出部４０１ｄとからなり、結局のところ、絶対平均値算出部４０１では下記の式（１）の演算を行っている。
【００３７】
【数１】
0004604880.tif 000002
【００３８】
また絶対平均値平滑部４０２は、正の定数α（＜１）を絶対平均値Ｐx(ｎ)に乗算する乗算器４０２ａと、遅延シフトレジスタ４０２ｂと、遅延シフトレジスタ４０２ｂで遅延させた瞬時パワー推定値Ｐｓ(ｎ-1)に正の定数（１−α）を乗算する乗算器４０２ｃと、２つの乗算器４０２ａ，４０２ｃの出力を加算する加算器４０２dとからなり、結局のところ、絶対平均値平滑部４０２では下記の式（２）の演算を行っている。
【００３９】
【数２】
0004604880.tif 000003
【００４０】
また、増幅度算出部４１では、予め設定した信号パワーの基準値Ｐｒをパワー推定部４０で推定された信号パワーの推定値Ｐｓ（ｎ）で除算することによって増幅度Ｇ（＝Ｐｒ／Ｐｓ）を算出し、算出した増幅度Ｇを増幅器３９に設定する。
【００４１】
バンドパスフィルタ４２は音声の周波数帯域（一般に数十Ｈｚから数ｋＨｚの範囲）を通過帯域とし、増幅器３９の入力側に設けられる。そして、入力信号Ｘ(ｎ)をパワー推定部４０に入力する状態とバンドパスフィルタ４２に入力する状態とを択一的に切り換える切換スイッチ４３がバンドパスフィルタ４２及びパワー推定部４０の入力側に設けられる。
【００４２】
次に、本実施形態において警報監視盤５より複数台の住戸機２に対して一斉放送を行う際の警報監視盤５並びに各住戸機２の動作を図３のフローチャートを参照しながら説明する。まず、一斉放送の開始に当たって管理人が警報監視盤５に設けられた一斉放送開始釦（図示せず）を押操作すると（ステップＳ１１）、警報監視盤５では、制御部５０が一斉放送の開始を指示する制御信号（一斉放送開始コマンド）を制御信号送受信部５１から制御線Ｌｃを介して各住戸機２に対して伝送し、さらに、制御信号の送信完了から第１の所定時間が経過したら、音声／トレーニング信号切換部５６を制御してトレーニング信号送信部５５を通話／一斉放送切換部５７に接続する状態に切り換えるとともに通話／一斉放送切換部５７を２線４線変換部５４を介さずに通話線Ｌａに接続する状態に切り換えた後、トレーニング信号送信部５５からトレーニング信号を送信させる（ステップＳ１２）。
【００４３】
警報監視盤５から送信された制御信号は、一斉放送の対象である全ての住戸機２で受信される。制御信号を受信した住戸機２では、主制御部１０が一斉放送開始コマンドに応じて一斉放送開始のための準備を行う。すなわち、主制御部１０は、通話／一斉放送切換部１５を制御して幹線インタフェース部１４に接続された通話路を音量補正部３０に接続する状態に切り換えさせてトレーニング信号の受信可能状態とするとともに音量補正部３０を動作させ（ステップＳ２１）、警報監視盤５から通話線Ｌａを介して伝送されるトレーニング信号を受信すれば伝送ロスの推定処理を開始する。音量補正部３０では、主制御部１０から動作開始の指示を受けると切換スイッチ４３がバンドパスフィルタ４２からパワー推定部４０に切り換わる。そして、パワー推定部４０が入力信号Ｘ(ｎ)の信号パワーの推定を行い、推定値Ｐｓ(ｎ)が所定の閾値を超えたときにトレーニング信号を受信したと判断し（ステップＳ２２）、トレーニング信号の受信時点から第２の所定時間経過後の推定値Ｐｓ(ｎ)をトレーニング信号の信号パワーＰｓとし（ステップＳ２３，Ｓ２４）、増幅度算出部４１が基準値Ｐｒを信号パワーＰｓで除算して求めた増幅度Ｇを増幅器３９に設定する（ステップＳ２５）。なお、増幅器３９に増幅度Ｇが設定された後、切換スイッチ４３がパワー推定部４０からバンドパスフィルタ４２に切り換わる。
【００４４】
警報監視盤５では、送信開始から第３の所定時間経過後に制御部５０がトレーニング信号送信部５５によるトレーニング信号の送信を停止させ（ステップＳ１３）、さらに、音声／トレーニング信号切換部５６を制御してハンドセット５２を通話／一斉放送切換部５７に接続する状態に切り換える。そして、管理人がハンドセット５２を使って一斉放送を行えば（ステップＳ１４）、ハンドセット５２から出力される一斉放送用音声信号が音声／トレーニング信号切換部５６から通話／一斉放送切換部５７及び増幅器５８を経て通話線Ｌａに送出される。そして、警報監視盤５から通話線Ｌａを介して伝送される一斉放送用音声信号は、幹線インタフェース部１４から通話／一斉放送切換部１５を介して音量補正部３０に入力され、増幅器３９で増幅することによって音量が補正されるため、スピーカ２２からは適切な音量で一斉放送の音声が出力される（ステップＳ２６）。
【００４５】
そして、一斉放送を終了するためにハンドセット５２がオンフックされると（ステップＳ１５）、警報監視盤５の制御部５０は、一斉放送の終了を指示する制御信号（一斉放送終了コマンド）を制御信号送受信部５１から制御線Ｌｃを介して各住戸機２に対して伝送した後、開閉スイッチ部５９を閉成して待機状態に戻る。また、制御信号を受信した住戸機２では、主制御部１０が音量補正部３０の動作を停止させるとともに、通話／一斉放送切換部１５を制御して幹線インタフェース部１４に接続された通話路を通話路切換手段１６に接続する状態に切り換えさせて待機状態に戻る。
【００４６】
上述のように本実施形態によれば、一斉放送の音量を増幅度算出部４１によって基準値Ｐｒに略等しくなるように補正する音量補正部３０を各住戸機２が備えているため、一斉放送の対象となる住戸機２の台数や各住戸機２までの配線長に応じて一斉放送装置（警報監視盤５）で一斉放送用音声信号の増幅度を調整したり、あるいは施工時に配線長に応じて各住戸機２毎に伝送線路のインピーダンスを調整するといった手間をかけることなく、複数の住戸機２間における一斉放送の音量のばらつきを抑えることができる。しかも、音量補正部３０においては増幅器３９で増幅する前の一斉放送用音声信号をバンドパスフィルタ４２に通すことにより、音声の周波数帯域成分以外のノイズ成分が除去されるので、音声の周波数帯域以外のノイズ成分が増幅器３９で増幅されるのを防いでスピーカ２２から送出されるノイズの影響を低減することができる。
【００４７】
ところで、増幅度算出部４１での演算の結果、図４（ｂ）に示すように伝送ロスが相対的に小さい場合は補正量（増幅度Ｇ）も小さくなるから音声の周波数帯域ｆａ〜ｆｂ（破線ニ参照）を全て含むような周波数特性（図４（ｂ）の実線イ参照）を有するバンドパスフィルタ４２を用いてノイズ成分を除去することができるが、図４（ｃ）に示すように伝送ロスが相対的に大きい場合は補正量（増幅度Ｇ）も大きくなるから、本来取得したい帯域成分である音声帯域成分の近傍の周波数帯域に存在するノイズ成分をも、そのような大きな補正量（増幅度Ｇ）で増幅してしまうことになるので、図４（ｂ）の実線イで示したバンドパスフィルタ特性よりもさらに厳しくノイズ除去を行う必要があり、音声の周波数帯域ｆａ〜ｆｂよりも狭い周波数特性（図４（ｃ）の実線イ参照）を有するバンドパスフィルタ４２を用いないとノイズ成分を的確に除去することができない。一方、伝送ロスが相対的に小さい場合、バンドパスフィルタ４２の周波数特性を図４（ａ）の実線ロで示すように通過帯域の狭い周波数特性に設定していると一斉放送の音質が劣化してしまうことになる。
【００４８】
そこで、バンドパスフィルタ４２の周波数特性を図４（ａ）の実線ロで示すように通過帯域幅の狭い周波数特性に設定して伝送ロスが相対的に大きい場合のノイス成分を的確に除去するとともに、伝送ロスの推定値Ｐｓ(ｎ)が所定のしきい値以下であれば、バンドパスフィルタ４２を停止（スルー）したり、あるいは、図４（ａ）の実線ハ、ロで示すように伝送ロスの推定値が大きくなるにつれてバンドパスフィルタ４２の通過帯域幅を狭くして音質の劣化を防ぐことが望ましい。なお、バンドパスフィルタ４２もＤＳＰのハードウェアをソフトウェアで制御することで実現されるものであるから、上述のように停止（スルー）させたり、通過帯域幅を変更することはパラメータ等の変更によって容易に実現できる。
【００４９】
また、音量補正部３０では一斉放送用音声信号（入力信号Ｘ(ｎ)）に含まれるノイズ成分も増幅器３９で増幅されてしまうためにスピーカ２２から一斉放送用音声に混ざってノイズが聞こえてしまう虞がある。
【００５０】
そこで、パワー推定部４０による伝送ロスの推定値Ｐｓ(ｎ)に応じて主制御部１０が音量補正部３０前段に設けられたアンプ２９ｂのゲインを調整することにより、例えば、伝送ロスの推定値Ｐｓ(ｎ)が大きくなるほどアンプ２９ｂのゲイン（正負両方の値を含む）を小さくして入力信号Ｘ(ｎ)の信号パワーを低下させれば、音量補正部３０における補正量（増幅器３９の増幅度Ｇ）を減少させて上述のようなノイズ成分の影響を低減することができる。
【００５１】
(実施形態２）
図５は実施形態２における音量補正部３０を示すブロック図である。但し、音量補正部３０を除く住戸機２の構成並びに警報監視盤５を含む集合住宅用インターホンシステム全体の基本構成、並びに音量補正部３０の基本構成は実施形態１と共通であるから、共通の構成要素には同一の符号を付して図示並びに説明を省略する。
【００５２】
実施形態１における音量補正部３０では、パワー推定部４０が入力信号Ｘ(ｎ)の信号パワーの推定を行い、推定値Ｐｓ(ｎ)が所定の閾値を超えたときにトレーニング信号を受信したと判断しているが、かかる閾値を超える広帯域のノイズ成分が入力信号Ｘ(ｎ)に含まれていた場合に当該ノイズ成分をトレーニング信号と誤判定してしまう虞がある。
【００５３】
そこで本実施形態では、入力信号Ｘ(ｎ)の信号パワーを推定する第１の信号パワー推定部４４と、入力信号Ｘ(ｎ)からトレーニング信号の周波数帯域成分のみを通過させる帯域通過フィルタ４５と、帯域通過フィルタ４５を通過した入力信号Ｘ(ｎ)の信号パワーを推定する第２の信号パワー推定部４６と、第１の信号パワー推定部４４で推定した信号パワー推定値ＰＳと第２の信号パワー推定部４６で推定した信号パワー推定値ＰＳＦとに基づいて入力信号Ｘ(ｎ)がトレーニング信号か否かを判定する判定部４７とからなるトレーニング信号検出手段を音量補正部３０に設けている。また、入力信号Ｘ(ｎ)をパワー推定部４０に入力する状態とトレーニング信号検出手段に入力する状態とを択一的に切り換える切換スイッチ４８がトレーニング信号検出手段及びパワー推定部４０の入力側に設けられている。但し、第１及び第２の信号パワー推定部４４，４６はパワー推定部４０と共通の構成を有しているので、詳細な構成の図示並びに説明は省略する。
【００５４】
トレーニング信号検出手段は、主制御部１０が一斉放送開始コマンドを受け取ったときに動作し、主制御部１０によって切り換えられた切換スイッチ４３，４８を介して入力信号Ｘ(ｎ)が入力される。そして判定部４７では、第２の信号パワー推定部４６の信号パワー推定値ＰＳＦを所定の閾値と比較するとともに、第１のパワー推定部４４の出力である信号パワー推定値ＰＳが閾値を超えた場合に第１の信号パワー推定部４４の信号パワー推定値ＰＳと第２の信号パワー推定部４６の信号パワー推定値ＰＳＦとが、ｂ＜ＰＳＦ／ＰＳ＜ａ（但し、０＜ｂ＜ａ≦１）の関係を満たすか否かを調べ、この関係を満たすときに入力信号Ｘ(ｎ)がトレーニング信号である、すなわち、トレーニング信号を受信したと判定する。判定部４７がトレーニング信号を受信したと判定すれば、判定部４７によって切換スイッチ４８がパワー推定部４０に切り換えられて伝送ロスの推定処理が開始され、以降、実施形態１と同様にして増幅器３９の増幅度Ｇが設定されて一斉放送用音声の音量が補正される。
【００５５】
而して本実施形態によれば、入力信号Ｘ(ｎ)のうちで帯域通過フィルタ４５を通過する周波数成分（トレーニング信号の周波数成分）の信号パワー推定値ＰＳＦと、帯域通過フィルタ４５を通す前の入力信号Ｘ(ｎ)の信号パワー推定値ＰＳとを比較することにより、入力信号Ｘ(ｎ)がトレーニング信号であるのか、広帯域のノイズ成分であるのかを判別することが可能となって、入力信号Ｘ(ｎ)に含まれる広帯域のノイズ成分をトレーニング信号と誤判定することを防止できる。
【００５６】
ところで、入力信号Ｘ(ｎ)に狭帯域のノイズ成分が含まれていた場合には第２の信号パワー推定部４６の推定値ＰＳＦが閾値を超えてしまう可能性がある。そこで、警報監視盤５からある程度の時間だけトレーニング信号を連続して送信し、判定部４７においては、第１の信号パワー推定部４４の信号パワー推定値ＰＳとしきい値を超えた第２の信号パワー推定部４６の信号パワー推定値ＰＳＦとが、ｂ＜ＰＳＦ／ＰＳ＜ａの関係を満たす状況が所定時間以上継続した場合にトレーニング信号を受信したと判定すれば、入力信号Ｘ(ｎ)にインパルス性のノイズ成分やバーストノイズなどが含まれている場合においても、かかるノイズ成分をトレーニング信号と誤判定することを防止できる。
【００５７】
以下、本発明の実施形態ではないが、本発明の参考例について説明する。
(参考例１)
図６は本参考例における音量補正部３０を示すブロック図である。但し、音量補正部３０を除く住戸機２の構成並びに警報監視盤５を含む集合住宅用インターホンシステム全体の基本構成は実施形態１と共通であるから、共通の構成要素には同一の符号を付して図示並びに説明を省略する。
【００５８】
警報監視盤５においては、一斉放送開始コマンドの送信後に互いに周波数が異なるトーン信号からなる複数のトレーニング信号をトレーニング信号送信部５５から順次送信させる。例えば、図７（ａ）に示すように周波数ｆ１，ｆ２，…，ｆｎのトレーニング信号をトレーニング信号送信部５５から順次送信する。
【００５９】
音量補正部３０は、ｎ個のトレーニング信号を周波数弁別するためのバンドパスフィルタ５０1，５０2，…，５０nと、各トレーニング信号の信号パワーを推定するパワー推定部４０と、トレーニング信号の周波数とパワー推定部４０の信号パワー推定値Ｐｓの各組の間にある周波数に対する信号パワーを推定するパワー補間部５１と、各周波数帯毎の伝送ロス（信号パワーの周波数特性）と重み係数からラウドネス（音の大きさ）を求めるとともに当該ラウドネスと基準となるラウドネスの差分に応じて補正値を算出する補正利得算出部５２と、補正利得算出部５２で算出された補正値（増幅度）で一斉放送用音声信号を増幅する増幅部５３とを備えている。パワー推定部４０は、各周波数ｆ１，ｆ２，…，ｆｎのトレーニング信号に対し各々信号パワー推定値Ｐsf1，Ｐsf2，…，Ｐsfnを求める。パワー補間部５１は、周知の補間法（例えば、ラグランジュ補間法）を用いてｎ個の信号パワー推定値Ｐsf1，Ｐsf2，…,Ｐsfnから伝送ロス（信号パワーの周波数特性）を（ｎ−１）次曲線で近似する処理を行う。具体的には、下記の式（３）でトレーニング信号の周波数ｆ１，ｆ２，…,ｆｎ以外の周波数ｆ（１／３オクターブ）の信号パワーＰｆを求める。
【００６０】
【数３】
0004604880.tif 000004
【００６１】
ここで、上式（３）の右辺各項の係数ａ0，ａ1，…,ａn-1は、下記の行列式より求められる。
【００６２】
【数４】
0004604880.tif 000005
【００６３】
尚、図７（ｂ）に実線で示す曲線イが式（３）で近似された伝送ロスを表している。
【００６４】
一方、補正利得算出部５２では、ＩＴＵ−Ｔ（国際電気通信連合−電気通信標準化部門）で規格化されている下記式よりラウドネス（音の大きさ）ＬＲを求め、さらに、基準となるラウドネスＬＲｒとの差を求めて増幅部５３の増幅度Ｇ（＝ＬＲ−ＬＲｒ）とする。但し、下式のＷｒはラウドネスの重み付け（定数）を表す。
【００６５】
【数５】
0004604880.tif 000006
【００６６】
而して、増幅部５３において増幅度Ｇで増幅することにより一斉放送用音声信号の音量が補正されてスピーカ２２から送出されることになる。
【００６７】
本参考例によれば、ラウドネスによって一斉放送用音声信号の音量を補正するので、人の耳で実際に聞く音量を適切に補正することができる。
【００６８】
ところで、本参考例の音量補正部３０においても、パワー推定部４０が入力信号Ｘ(ｎ)の信号パワーの推定を行い、推定値Ｐｓ(ｎ)が所定の閾値を超えたときにトレーニング信号を受信したと判断した場合、かかる閾値を超える広帯域のノイズ成分が入力信号Ｘ(ｎ)に含まれていたときに当該ノイズ成分をトレーニング信号と誤判定してしまう虞がある。
【００６９】
そこで、実施形態２と同様に、図８に示すように入力信号Ｘ(ｎ)からトレーニング信号の周波数ｆ１，ｆ２，…，ｆｎを中心とした狭帯域の周波数成分のみを通過させる複数の帯域通過フィルタ４５1，４５2，…，４５nと、帯域通過フィルタ４５i（ｉ＝１，２，…，ｎ）を通過した入力信号Ｘ(ｎ)の信号パワーを推定する信号パワー推定部４６1，４６2，…，４６nと、信号パワー推定部４６iで推定した信号パワー推定値ＰＳＦiに基づいて入力信号Ｘ(ｎ)がトレーニング信号か否かを判定する判定部４７とからなるトレーニング信号検出手段を音量補正部３０に設けることが望ましい。なお、図示は省略するが、入力信号Ｘ(ｎ)をパワー推定部４０に入力する状態とトレーニング信号検出手段に入力する状態とを択一的に切り換える切換スイッチ４８がトレーニング信号検出手段及びパワー推定部４０の入力側に設けられている。また、信号パワー推定部４６iはパワー推定部４０と共通の構成を有しているので、詳細な構成の図示並びに説明は省略する。
【００７０】
トレーニング信号検出手段は、主制御部１０が一斉放送開始コマンドを受け取ったときに動作し、主制御部１０によって切り換えられた切換スイッチ４３，４８を介して入力信号Ｘ(ｎ)が入力される。そして判定部４７では、各信号パワー推定部４６iの信号パワー推定値ＰＳＦiを所定の閾値と比較し、閾値を超える信号パワー推定値ＰＳＦiの比率が一定値（例えば、９０％）以上であれば、トレーニング信号を受信したと判定する。判定部４７がトレーニング信号を受信したと判定すれば、切換スイッチ４８がパワー推定部４０に切り換えられて伝送ロスの推定処理が開始され、以降、実施形態１と同様にして増幅器３９の増幅度Ｇが設定されて一斉放送用音声の音量が補正される。
【００７１】
而して、入力信号Ｘ(ｎ)に広帯域のノイズ成分が含まれていたとしても、複数の帯域通過フィルタ４５iを通過する周波数成分（トレーニング信号の周波数成分）の信号パワー推定値ＰＳＦiの比率が一定値を超える場合はトレーニング信号を受信したと判定することができるから、入力信号Ｘ(ｎ)に含まれる広帯域のノイズ成分をトレーニング信号と誤判定することを防止できる。
【００７２】
（参考例２）
図９は本参考例における音量補正部３０のトレーニング信号検出手段を示すブロック図である。但し、トレーニング信号検出手段を除く音量補正部３０や住戸機２の構成並びに警報監視盤５を含む集合住宅用インターホンシステム全体の基本構成は実施形態１と共通であるから、共通の構成要素には同一の符号を付して図示並びに説明を省略する。
【００７３】
本参考例におけるトレーニング信号検出手段は、入力信号Ｘ(ｎ)からトレーニング信号の周波数帯域成分のみを通過させる帯域通過フィルタ４５と、帯域通過フィルタ４５を通過した入力信号Ｘ(ｎ)の信号パワーを推定する信号パワー推定部４６と、帯域通過フィルタ４５を通過した入力信号Ｘ(ｎ)が単一周波数のトーン信号か否かを検出するシングルトーン検出器４９と、信号パワー推定部４６で推定した信号パワー推定値ＰＳＦとシングルトーン検出器４９の検出結果とに基づいて入力信号Ｘ(ｎ)がトレーニング信号か否かを判定する判定部４７とで構成される。シングルトーン検出器４９は、例えば入力信号Ｘ(ｎ)の高速フーリエ変換を利用したり、複数の帯域分割フィルタを用いて入力信号Ｘ(ｎ)のパワーを比較することでトーン信号か否かを検出するものであるが、何れの検出方式についても従来周知の技術を用いて実現可能であるから詳しい説明は省略する。
【００７４】
判定部４７では、信号パワー推定部４６の信号パワー推定値ＰＳＦが所定の閾値を超え、且つシングルトーン検出器４９で単一周波数のトーン信号が検出されれば、警報監視盤５（トレーニング信号送信部５５）から送信されたトレーニング信号を受信したと判定する。判定部４７がトレーニング信号を受信したと判定すれば、図示しない切換スイッチ４８がパワー推定部４０に切り換えられて伝送ロスの推定処理が開始され、以降、実施形態１と同様にして増幅器３９の増幅度Ｇが設定されて一斉放送用音声の音量が補正される。
【００７５】
而して、トレーニング信号（トーン信号）の周波数帯域とノイズ成分の周波数帯域とが重なっている場合、帯域通過フィルタ４５を通過した入力信号Ｘ(ｎ)にもノイズ成分が含まれてしまうために誤判定が生じる虞があるが、上述のように帯域通過フィルタ４５を通過した入力信号Ｘ(ｎ)が単一周波数のトーン信号か否かをシングルトーン検出器４９で検出しているので、狭帯域のノイズ成分をトレーニング信号と誤判定することを防止できる。
【図面の簡単な説明】
【００７６】
【図１】本発明の実施形態１を示すシステム構成図である。
【図２】（ａ）は同上における音量補正部のブロック図、（ｂ）はパワー推定部のブロック図である。
【図３】同上の一斉放送時の動作を説明するためのフローチャートである。
【図４】同上における音量補正部の動作説明図である。
【図５】本発明の実施形態２における音量補正部のブロック図である。
【図６】本発明の参考例１における音量補正部のブロック図である。
【図７】（ａ）（ｂ）は同上における音量補正部の動作説明図である。
【図８】同上におけるトレーニング信号検出手段の他の構成を示すブロック図である。
【図９】本発明の参考例２における音量補正部のトレーニング信号検出手段のブロック図である。
【符号の説明】
【００７７】
１  ロビーインターホン
２  住戸機
５  警報監視盤
２１  マイクロホン
２２  スピーカ
３０  音量補正部
【図１】
0004604880.tif 000007
【図２】
0004604880.tif 000008
【図３】
0004604880.tif 000009
【図４】
0004604880.tif 000010
【図５】
0004604880.tif 000011
【図６】
0004604880.tif 000012
【図７】
0004604880.tif 000013
【図８】
0004604880.tif 000014
【図９】
0004604880.tif 000015